(57)【要約】      （修正有）【課題】着用したときの着用者の感覚が改善される陰部を保護するための男性のパンツを提供する。【解決手段】陰嚢を受容するためパンツ本体の前面に形成される陰嚢ポケットの周囲に陰嚢ポケット分離バンドが設けられ、これにより陰嚢ポケットに収縮性を与える。陰茎及び陰嚢は、陰茎ポケット分離バンドの伸縮性により互いから分離される。陰茎ポケットの上部が人体に近接して保持され、陰茎が陰茎ポケットの下部に容易に受容されるように、陰茎ポケットの外側布が形成される。陰茎ポケットの外側布上部における一部はパンツ本体に縫いつけられず、それゆえに開放され、そしてこれにより陰茎ポケットの内部空間の換気を促進する。【選択図】図１
0003143555.tif 000002
【実用新案登録請求の範囲】
【請求項１】
人体の下半身の一部を覆う換気布から成るパンツ本体は、腰の周囲に前記パンツを保持するための腰バンドと共に提供され、かつ脚挿入開口部を有し、
陰嚢ポケットは陰嚢を受容するように前記パンツ本体の前面に形成され、前記陰嚢ポケットの突出部の下に皺部が形成されるように陰嚢ポケット分離バンドが前記陰嚢ポケットの周囲に設けられ、
前記陰嚢ポケットの上部端に定められる開口部の周囲に、陰茎を受容するように陰茎ポケットが取り付けられ、そして前記陰茎ポケットに収縮性を与えるように前記陰茎ポケットの周囲に陰茎ポケット分離バンドが設けられ、
前記陰嚢ポケットの前記開口部の周囲に取り付けられる前記陰茎ポケットの内側布に一体的に放物線状切取部が形成され、
下端開口部を定めるため前記陰茎ポケットの前記内側布の中央下端に切取部が形成され、これにより、前記内側布の両辺部が縫い合わされるとき前記放物線状切取部の存在によって前記切取部の切り取り端が自然に丸みを帯び、
外側布が前記パンツ本体及び前記内側布と縫い合わされるとき曲部が幅方向及び長手方向に自然に形成されるような２つの幅方向切取部及び２つの長手方向切取部により陰茎ポケットの外側布が定められ、
前記外側布が前記パンツ本体に縫いつけられるとき前記外側布の上部の一部と前記パンツ本体との間に通気穴が定められ、
前記陰茎ポケット分離バンドにリングが接続され、そして前記陰嚢ポケットの長手方向に延びる中央線に沿って前記陰嚢ポケットの前面に複数のホックが取り付けられ、
前記陰茎ポケットの下端にリングが取り付けられ、前記陰嚢ポケットの下端にホックが取り付けられる
生殖器部を保護する男性用パンツ。
【請求項２】
前記皺部を形成するように設けられる前記陰嚢ポケット分離バンドの周囲に、メッシュ布又は非メッシュ布により前記陰嚢ポケットが形成される請求項１に記載の男性用パンツ。
【考案の詳細な説明】
【技術分野】
【０００１】
本発明は、一般に、陰部を保護するための男性のパンツに関し、より適切には、陰嚢を受容するためパンツ本体の前面に形成される陰嚢ポケットの周囲に陰嚢ポケット分離バンドが設けられ、これにより陰嚢ポケットに収縮性を与え、陰茎及び陰嚢は陰茎ポケット分離バンドの弾性により互いに分離され、陰茎ポケットの外側布は、陰茎ポケットの上部が人体に近接して保持され、かつ陰茎が陰茎ポケットの下部に容易に受容されるように切取部と共に形成され、陰茎ポケットの外側布の上部における一部は、パンツ本体に縫合されずに開放され、これにより陰茎ポケットの内部空間の換気を促進し、そのため、陰部の陰嚢及び陰茎は、互いに接触すること及び湿気を帯びることが防止され、着用したときの着用者の感覚が改善される一般に陰部を保護するための男性のパンツに関する。
【背景技術】
【０００２】
従来公知であるように、男性の身体構造において、陰茎及び陰嚢は股から突出し、陰茎及び陰嚢を保護するためにパンツが着用される。パンツは、陰部を保護するため及び陰部の衛生状態を改善するために汗を吸収することが可能な素材から作られる。
【０００３】
従来の男性用パンツは、人体の下半身の前方及び後方部分を覆うためのパンツ本体と、腰のまわりにパンツを保持するための腰バンドと、そこを通じて脚が通過しうるようにパンツ本体の底部に定められる一対の脚挿入開口部とを備える。この構造により、パンツは人体に容易に着用される。
【０００４】
しかしながら、従来の男性用パンツは、人体の重要な器官として見なされる陰茎及び陰嚢を有する陰部が過度にきつく圧縮されるという点で不都合がある。一方、相対的に大量の汗が生成される領域に陰部が位置するため、陰部は、およそ不衛生、かつ病気に対し脆弱である、湿気を帯びた状態に置かれるおそれがある。
【０００５】
それゆえ、従来の男性用パンツの欠点を解決するために、陰部器官がバンドにより分離するように保持される衛生的なパンツが従来公開されている。
【０００６】
それにもかかわらず、これらの衛生的なパンツにおいて、男性の人体構造により陰茎及び陰嚢は股から突出しているため、陰茎及び陰嚢はパンツにより未だ圧縮され、そして互いにかつ人体の下半身に緊密に密着する。その結果、陰茎と陰嚢とが密着する度合いはある程度減少するが、パンツは、パンツを着用する人間の衛生状態及び健康状態を改善しない。
【考案の開示】
【考案が解決しようとする課題】
【０００７】
従って、本発明は従来技術において生じる問題を解決する目的でなされたものであり、本発明の目的は、パンツ本体の前面に陰嚢を受容するため形成される陰嚢ポケットの周囲に陰嚢ポケット分離バンドが設けられ、これにより陰嚢ポケットに収縮性を与え、陰茎及び陰嚢は陰茎ポケット分離バンドの弾性により互いに分離され、陰茎ポケットの外側布は、陰茎ポケットの上部が人体に近接して保持され、かつ陰茎が陰茎ポケットの下部に容易に受容されるように切取部と共に形成され、陰茎ポケットの外側布の上部における一部は、パンツ本体に縫製されずに開放され、これにより陰茎ポケットの内部空間の換気を促進し、そのため、陰部の陰嚢及び陰茎は、互いに接触すること及び湿気を帯びることが防止され、着用したときの着用者の感覚が改善される陰部を保護するための男性のパンツを提供することである。
【課題を解決するための手段】
【０００８】
前述の目的を達成するため、韓国実用新案登録出願第２０００−３１５９５号、２０００−２８１５４号、及び２００３−７１９号に公開される陰部を保護するための男性用パンツを本発明により改良した、陰部を保護するための男性用パンツが本発明により提供される。従って、本発明により生殖器部を保護するための男性用パンツにおいて、人体の下半身の一部を覆う換気布から成るパンツ本体は、腰の周囲にパンツを保持するための腰バンドと共に提供され、脚挿入開口部を有し、陰嚢ポケットは収縮しながら陰嚢を受容するようにパンツ本体の前面に形成され、陰嚢ポケットの突出部の下に皺部が形成されるように陰嚢ポケット分離バンドが陰嚢ポケットの周囲に設けられ、陰嚢ポケットの上部端に定められる開口部の周囲に陰茎ポケットが取り付けられ、陰茎及び陰嚢が陰茎ポケット分離バンドの弾性により互いに分離されうるように陰茎ポケットの周囲に陰茎ポケット分離バンドが設けられ、放物線状切取部は陰茎ポケットの内側布から一体的に形成され、内側布の両辺部が縫い合わされるよう下端開口部を定めるために陰茎ポケットの内側布の中央下端に切取部が形成され、陰茎ポケットの外側布は２つの幅方向切取部及び２つの長手方向切取部により定められ、各切取部の対向切取端は互いに縫い合わされ、陰茎ポケットの上部が人体に近接して保持されるように外側布がパンツ本体及び内側布と縫い合わされ、曲部は陰茎ポケットの下部に自然に形成され、陰茎ポケットの外側布上部における一部はパンツ本体に縫いつけられず、このように開放され、そして陰茎ポケットの内部空間の換気を促進し、そのため、陰部の陰嚢及び陰茎は、互いに接触すること及び湿気を帯びることが防止され、着用したときの着用者の感覚が改善される。
【考案を実施するための最良の形態】
【０００９】
前述の目的、本発明の他の特徴及び利点は、以下の詳細な説明を図面と共に閲覧した後に、より明らかになるであろう。
【００１０】
本発明による好ましい実施形態についてより詳細に参照がなされ、その一例は付随する図面に示される。可能な限り、同じ又は類似の部品を参照するために図面及び説明を通じて同じ参照番号が用いられる。
【００１１】
本発明による一実施形態に対応する、陰部を保護するための男性用パンツにおいて、人体の下半身の一部を覆う換気布から成るパンツ本体１は、腰のまわりにパンツを保持するための腰バンド２と共に提供され、脚挿入開口部３を有する。陰嚢ポケット１１は陰嚢を伸縮自在に受容するためパンツの前面に形成され、陰嚢ポケット１１の突出部１３の下に皺部１４が形成されるように、既定の弾性を有する陰嚢ポケット分離バンド１２が陰嚢ポケット１１の周囲に設けられる。陰茎を受容するために陰嚢ポケット１１の上端部に定められる開口部１５の周囲に陰茎ポケット２１が接続される。陰茎ポケット２１に収縮性を与えるため、陰茎ポケット２１の周囲に陰茎ポケット分離バンド１６が設けられる。陰嚢ポケット１１の開口部１５の周囲に取り付けられる陰茎ポケット２１の内側布２２上に、放物線状切取部２３が一体化して形成される。下端開口部を定めるため陰茎ポケット２１における内側布２２の中央下端部に切取部２４が形成され、これにより、内側布２２の両辺部が縫い合わされるとき放物線状切取部２３の存在によって切取部２４の切断端部が自然に丸みを帯びる。陰茎ポケット２１の外側布２６は２つの幅方向切取部２７ａ及び２７ｂ並びに２つ長手方向切取部２８ａ及び２８ｂにより定められ、各切取部の対向切取端は互いに縫い合わされ、陰茎ポケット２１の上部が人体に近接して保持されるように外側布２６がパンツ本体１及び内側布２２と縫い合わされ、曲部２７及び２８は陰茎ポケット２１の下部に自然に形成される。外側布２６をパンツ本体１に縫いつけるとき、陰茎ポケット２１の外側布２６上部における一部はパンツ本体１に縫いつけられず、従って通気穴２９を定め、そしてこれにより陰茎ポケット２１の内部空間の換気を促進する。リング３０は陰茎ポケット分離バンド１６に接続される。陰茎ポケット１１の長手方向に延びる中央線に沿って陰嚢ポケット１１の前面に複数のホック３１ａ、３１ｂ及び３１ｃが取り付けられる。これによりリング３０は、パンツ本体１から陰嚢ポケット１１を自然に分離するために、ホック３１ａ、３１ｂ及び３１ｃの１つと選択的に繋がれる。リング３２は陰茎ポケット２１の下端に接続される。ホック３３は陰茎ポケット１１の下端に接続される。これによりリング３２は、陰茎ポケット２１が前方に突出することを防止するためにホック３３に繋がれる。
【００１２】
陰嚢ポケット１１の突出部１３は、陰嚢ポケット１１の内部空間の換気を促進するため、メッシュ布により形成されることが好ましい。
【００１３】
本発明の一実施形態に対応する、陰部を保護するための男性用パンツにおいて、前述のように構成されることにより、パンツ本体１は人体の下半身の前後部分を覆う。パンツ本体１は、腰の周囲にパンツを容易に着用及び保持する腰バンド２と共に提供される。パンツ本体１は脚挿入開口部３を有する。本発明による陰部を保護するための男性用パンツは、陰嚢及び陰茎が、パンツ本体１から及び互いから分離されうるような手段により形成される。
【００１４】
パンツ本体１の前面は突出部１３として形成される。必要に応じてメッシュ布により形成される陰嚢ポケット１１の下に皺部１４が形成されるように、陰嚢ポケット１１の近位端部の周囲に陰嚢ポケット分離バンド１２が接合される。この事実により、人が横たわるとき及び激しい運動をするときですら、収縮しながら陰嚢ポケット１１に陰嚢を受容し、陰嚢ポケット１１から陰嚢が放出されることを防止することが可能になり、これによりパンツが人体に確実に着用される。
【００１５】
陰茎ポケット分離バンド１６の伸縮性により陰茎及び陰部が互いから分離されるように、陰嚢ポケット１１の上端に定められる開口部１５に陰茎ポケット分離バンド１６が設けられる。これにより、開口部１５の周囲に結合される陰茎ポケット１１内に受容される陰茎の近位端部が、この中に適切に保持され、これによりパンツが人体に確実に着用される。
【００１６】
放物線状切取部２３と一体化して形成される、陰茎ポケット２１の内側布２２は、陰嚢ポケット１１の開口部１５の周囲に結合される。
【００１７】
陰茎ポケット２１の内側布２２の中央下端部に形成される切取部２４が下端開口部を定める。内側布２２の両辺部が縫い合わされるとき、放物線状切取部２３の存在により、切取部２４の切断端部が自然に丸みを帯びる。
【００１８】
陰茎ポケット２１の外側布２６において、幅方向に互いに並べられるように形成される２つの幅方向切取部２７ａ及び２７ｂの存在により、各幅方向切取部２７ａ及び２７ｂにおいて対向する切断端部が互いに縫い合わされるとき、外側布２６の長手方向寸法は、長手方向中央部から外側布２６の左及び右側に向けて徐々に減少し、これにより内側に曲がる。また、長手方向に互いに並べられるように形成される２つの長手方向切取部２８ａ及び２８ｂの存在により、各長手方向切取部２８ａ及び２８ｂにおいて対向する切断端部が互いに縫い合わされるとき、外側布２６の幅方向寸法は、幅方向中央部から外側布２６の上及び下側に向けて徐々に減少し、これにより内側に曲がる。
【００１９】
外側布２６に形成される幅方向切取部２７ａ及び２７ｂ及び長手方向切取部２８ａ及び２８ｂの存在により、外側布２６の両側がパンツ本体１及び内部布２２に縫いつけられるとき、陰茎ポケット２１の上部は人体に近接して保持され、曲部２７及び２８は陰茎ポケット２１の下部に自然に形成される。
【００２０】
外側布２６をパンツ本体１に縫いつけるとき、陰茎ポケット２１の外側布２６上部の一部はパンツ本体１に縫いつけられず、従って通気穴２９を定め、そしてこれにより陰茎ポケット２１の内部空間の換気を促進する。
【００２１】
さらに、茎ポケット１１の長手方向に延びる中央線に沿って陰嚢ポケット１１の前面に取り付けられる複数のホック３１ａ、３１ｂ及び３１ｃの１つに接続される陰茎ポケット分離バンド１６にリング３０を選択的に繋ぐことにより、陰嚢ポケット１１はパンツ本体１から分離され、隆起して保持される。
【００２２】
また、陰嚢ポケット１１の下端に接続されるホック３３に陰茎ポケット２１の下端を接続するリング３２を繋ぐことにより、陰茎ポケット２１が前方に突出することを防止することが可能となる。
【００２３】
前述の記載から明らかであるように、本発明による陰部を保護するための男性用パンツは、陰嚢を受容するためパンツ本体の前面に形成される陰嚢ポケットの周囲に陰嚢ポケット分離バンドが設けられ、これにより陰嚢ポケットに収縮性を与え、陰嚢ポケットの上端に設けられる陰茎ポケット分離バンドの弾性により陰茎及び陰嚢が互いに分離され、陰茎ポケットがパンツ本体に結合されたとき、陰茎ポケットの上部が人体に近接して保持され、かつ陰茎が陰茎ポケットの下部に容易に受容されるように、長手方向及び幅方向切取部と共に陰茎ポケットの外側布が形成され、陰茎ポケットの外側布の上部における一部はパンツ本体に縫合されず、このように開放され、そしてこれにより陰茎ポケットの内部空間の換気を促進し、そのため、陰部の陰嚢及び陰茎は、互いに接触すること及び湿気を帯びることが防止され、着用したときの着用者の感覚が改善されるという利点を提供する。
【００２４】
図面及び明細書において、本発明の典型的な好ましい実施形態が公開され、特定の表現が用いられたが、それらは限定する目的ではなく総括的かつ説明的な意味のみにおいて用いられ、本発明による発明の範囲は特許請求の範囲において説明される。
【図面の簡単な説明】
【００２５】
【図１】本発明の一実施形態によるパンツの構造を示す斜視図である。
【図２】本発明の一実施形態によるパンツを示した部分切断側面図である。
【図３】本発明の一実施形態によるパンツを示した正面図である。
【図４】陰茎ポケットをパンツ本体に取り付ける構造を示す分解斜視図である。
【図５】陰茎ポケットの外側布を単独で示した展開図である。
【図１】
0003143555.tif 000003
【図２】
0003143555.tif 000004
【図３】
0003143555.tif 000005
【図４】
0003143555.tif 000006
【図５】
0003143555.tif 000007